(57)【要約】【課題】  屋根に容易に敷設可能であって、且つ、発熱により屋根上に降り積もる雪を融解可能な融雪シート材の提供を図る。【解決手段】  屋根に敷設可能な融雪シート材１であって、所要長さ，幅，厚さを有し耐熱性を有する樹脂素材により形成された表面シート１１並びに裏面シート１２の間に、電熱線２０が所定間隔をあけて配置された状態で、該表面シート１１と裏面シート１２とが接合されてなる発熱シート材１０と、前記電熱線２０へ電力供給をＯＮ・ＯＦＦするスイッチＳと、から構成されている。【選択図】図１
0003193543.tif 000002
【実用新案登録請求の範囲】
【請求項１】
屋根に敷設可能な融雪シート材であって、
所要長さ，幅，厚さを有し耐熱性を有する樹脂素材により形成された表面シート並びに裏面シートの間に、電熱線が所定間隔をあけて配置された状態で、該表面シートと裏面シートとが接合されてなる発熱シート材と、前記電熱線へ電力供給をＯＮ・ＯＦＦするスイッチと、から構成されていることを特徴とする融雪シート材。
【請求項２】
前記融雪シート材において、前記表面シート及び裏面シートが、透明若しくは半透明の樹脂素材により形成されていることを特徴とする請求項１に記載の融雪シート材。
【請求項３】
前記融雪シート材において、前記表面シートに太陽電池モジュールが配設されると共に、該太陽電池モジュールにより発電された電力を蓄電するための蓄電池が備えられていることを特徴とする請求項１または請求項２に記載の融雪シート材。
【請求項４】
前記融雪シート材において、前記発熱シート材の周縁部所定箇所に、所要長さ，幅，厚さを有する被覆片が備えられていることを特徴とする請求項１から請求項３のいずれかに記載の融雪シート材。
【請求項５】
前記融雪シート材において、前記スイッチに、温度調節機能若しくはタイマー機能のいずれか一方若しくは両方が備えられていることを特徴とする請求項１から請求項４のいずれかに記載の融雪シート材。
【考案の詳細な説明】
【技術分野】
【０００１】
本考案は、融雪シート材に関し、詳しくは、屋根等に敷設することで屋根上に降り積もる雪を融解するためのシート材に関するものである。
【背景技術】
【０００２】
降雪地では、屋根に降り積もった雪によって建物が倒壊する危険があり、また、融けた雪が軒先等で氷結して氷塊となり、かかる氷塊が落下して人身事故や物損事故が発生するといった危険があった。そのため、多雪地域においては、屋根に降り積もった雪の除雪作業を行うこととなるが、かかる作業は過酷な労働であると共に、高所作業であるため落下の危険も伴うものであった。
【０００３】
上記危険を回避すべく、従来より、特開２００１−３４９０１９号公報（特許文献１）や特開２００３−２０７６０号公報（特許文献２）で提案されているような、葺き板など屋根材の下に発熱ヒータを設けて屋根に降り積もった雪の融雪を行う技術提案が為されている。
【０００４】
しかしながら、かかる従来の技術提案によれば、屋根材の下に発熱ヒータを配置する構造を採用することから、発熱ヒータにより発生した熱が屋根材を介して積雪に伝導されることとなると共に、建物内（発熱ヒータ下方）へ熱が逃げてしまうこともあり、熱伝導効率ひいては融雪効率が悪いものであった。
【０００５】
また、従来の技術提案は、屋根材の下に発熱ヒータを配置すべく、通常は新築建物の屋根に採用される技術であり、既存の屋根に当該従来技術を採用するとなると、大掛かりな改修工事を要するものであって、設置コストも嵩むといった問題があった。
【０００６】
本考案者は、以上のような屋根上に降り積もった雪の融雪技術に関する現状並びに問題点に鑑み、新築や既存の屋根を問わず容易に設置可能な雪の融雪設備を提供できないものかという着想の下、屋根に敷設可能なシート材を発熱させることで着想を実現する「融雪シート材」を開発し、本考案の提案に至るものである。
【先行技術文献】
【特許文献】
【０００７】
【特許文献１】特開２００１−３４９０１９号公報
【特許文献２】特開２００３−２０７６０号公報
【考案の開示】
【考案が解決しようとする課題】
【０００８】
そこで本考案は、上記問題点に鑑み、屋根に容易に敷設可能であって、且つ、発熱により屋根上に降り積もる雪を融解可能な融雪シート材を提供することを課題とするものである。
【課題を解決するための手段】
【０００９】
上記課題を解決するため、本考案は、屋根に敷設可能な融雪シート材であって、所要長さ，幅，厚さを有し耐熱性を有する樹脂素材により形成された表面シート並びに裏面シートの間に、電熱線が所定間隔をあけて配置された状態で、該表面シートと裏面シートとが接合されてなる発熱シート材と、前記電熱線へ電力供給をＯＮ・ＯＦＦするスイッチと、から構成されている。
【００１０】
また、本考案は、前記融雪シート材において、前記表面シート及び裏面シートが、透明若しくは半透明の樹脂素材により形成された構成を採用し得る。
【００１１】
さらに、本考案は、前記融雪シート材において、前記表面シートに太陽電池モジュールが配設されると共に、該太陽電池モジュールにより発電された電力を蓄電するための蓄電池が備えられた構成とすることもできる。
【００１２】
またさらに、本考案は、前記融雪シート材において、前記発熱シート材の周縁部所定箇所に、所要長さ，幅，厚さを有する被覆片が備えられた構成が考え得る。
【００１３】
そしてまた、本考案は、前記融雪シート材において、前記スイッチに、温度調節機能若しくはタイマー機能のいずれか一方若しくは両方が備えられた構成とすることも可能である。
【考案の効果】
【００１４】
本考案にかかる融雪シート材によれば、樹脂素材により形成された表面シート並びに裏面シートの間に、電熱線が所定間隔をあけて配置された状態で、該表面シートと裏面シートとが接合されてなる発熱シート材から成る構成を採用していることから、新築や既存の屋根を問わず、屋根に対し容易に敷設することが可能である、といった優れた効果を奏する。
【００１５】
また、本考案にかかる融雪シート材によれば、電熱線が表面シートで被覆された構成を採用することから、熱伝導効率ひいては融雪効率の向上に資するといった、優れた効果を奏するものである。
【００１６】
さらに、本考案にかかる融雪シート材によれば、表面シート並びに裏面シートを透明若しくは半透明の樹脂素材で形成することで、一般建造物の屋根に敷設するだけでなく、太陽光を透過すべきビニールハウスの被覆材として使用することも可能であるといった、優れた効果を奏する。
【００１７】
またさらに、本考案にかかる融雪シート材によれば、表面シートに太陽電池モジュールが配設されると共に、該太陽電池モジュールにより発電された電力を蓄電するための蓄電池が備えられた構成を採用し、電熱線への電力供給を一次的に蓄電池から行うこととすることで、省エネルギー効果に資するといった、優れた効果を奏するものである。
【図面の簡単な説明】
【００１８】
【図１】本考案にかかる融雪シート材の実施形態を示す全体斜視図である。
【図２】本考案にかかる融雪シート材の使用態様を示す説明図である。
【図３】本考案にかかる融雪シート材の使用態様を示す説明図である。
【考案を実施するための形態】
【００１９】
本考案は、所要長さ，幅，厚さを有し耐熱性を有する樹脂素材により形成された表面シート１１並びに裏面シートの間１２に、電熱線２０が所定間隔をあけて配置された状態で、該表面シート１１と裏面シート１２とが接合されてなる発熱シート材１０と、前記電熱線２０へ電力供給をＯＮ・ＯＦＦするスイッチＳと、から構成されていることを最大の特徴とする。以下、本考案にかかる融雪シート材１の実施形態を、図面に基づき説明する。
【００２０】
なお、本考案は、下記の実施形態に示した構成・態様に限定されるものではなく、本考案の技術的思想の要旨に逸脱しない範囲で、任意に変更することができるものである。
【００２１】
図１は、本考案にかかる融雪シート材１の実施形態を示す全体斜視図であり、図２及び図３は、本考案にかかる融雪シート材の使用態様を示す説明図である。
すなわち、本考案にかかる融雪シート材１は、発熱シート材１０と、スイッチＳと、から構成されている。
【００２２】
前記発熱シート材１０は、所要長さ，幅，厚さを有して形成された表面シート１１並びに裏面シート１２の間に、電熱線２０が所定間隔をあけて配置された状態で、該表面シート１１と裏面シート１２とが接合されて構成されている。
【００２３】
前記表面シート１１並びに裏面シート１２は、樹脂素材により形成され、電熱線２０により発生する熱に耐え得るだけの耐熱性を夫々有している。
なお、表面シート１１については、電熱線２０からの熱を伝導して効果的に融雪を行うべく、伝熱性を併せ持つことが好ましい。
また、裏面シート１２については、電熱線２０からの熱が下方（屋根方向）へ逃げることのないよう、可能な限り伝熱性を有しない素材で形成されることが好ましい。
【００２４】
ところで、前記発熱シート材１０の構造について、その周縁部所定箇所に、所要長さ，幅，厚さを有する被覆片１４が備えられている構成態様が考え得る。かかる被覆片１４を備えることで、屋根への敷設に際し、図２に示すように、該被覆片１４が屋根周辺に垂れ下がることとなり、該被覆片１４を使って発熱シート材１０を屋根へ固定することが可能となって、敷設作業が容易になると共に、屋根と発熱シート材１０との間に風が入り込まないよう略気密性を保持することが可能となる。
【００２５】
なお、かかる被覆片１４は、発熱シート材１０における表面シート１１の延長として設けられるか、または、裏面シート１２の延長として設けられるか、その何れであってもよく、あるいは、表面シート１１と裏面シート１２の両方の延長として設けられる構造であっても構わない。
【００２６】
また、前記発熱シート材１０の構造について、前記表面シート１１及び裏面シート１２が、透明若しくは半透明の樹脂素材により形成された構成とすることが考え得る。かかる構成を採用することで、図３に示すような太陽光を透過すべきビニールハウスの被覆材として発熱シート材１０を使用することも可能となり、使用態様の幅が拡がることとなる。
【００２７】
尚、前記表面シート１１及び裏面シート１２について、上記のような透明若しくは半透明とは逆に、種々色彩や模様を施す構成態様も可能である。特に表面シート１１に種々色彩や模様を施す態様が有効であり、例えば屋根タイル材の色彩と模様を施すことで、前記発熱シート材１０が敷設されているように見えず、一見して本物の屋根タイル材として認識され得るようにすることが可能となる。
【００２８】
さらに、前記発熱シート材１０の構造について、前記表面シート１１に太陽電池モジュール１６が配設された構成態様とすることが可能である。このとき、該太陽電池モジュール１６により発電された電力を蓄電するための蓄電池３０も備えられることとなる。かかる構成態様を採用することで、降雪時以外において太陽電池モジュール１６により発電を行い、その電力を蓄電池３０に蓄電しつつ、普段の生活において必要に応じて該蓄電池３０に蓄電された電力を使用することが可能であり、また、発熱シート材１０の電熱線２０への電力供給については、一次的に蓄電池３０に蓄電された電力を使用することで、融雪における省エネルギー効果に資することとなる。
【００２９】
前記電熱線２０は、導電性素材から成り、通電により発熱するものであれば、具体的構造や種類、素材について特に限定はなく、例えば一般家電等でも多く使用されている鉄クロム系やニッケルクロム系の電熱線２０などが考えられ、更には、カーボン繊維から成る電熱線２０を採用することも考え得る。
【００３０】
前記電熱線２０は、前記表面シート１１と裏面シート１２の間に配設されることとなるが、その向きなど配設態様については特に限定はなく、融雪効率等を考慮して所定間隔をあけて適宜配設される。かかる電熱線２０の配設態様について、例えば図面に示すように、略平行に所定間隔をあけて配設する態様などが考え得る。
なお、該電熱線２０の両端は、前記発熱シート材１０とは別に設けられるスイッチＳに接続されることとなる。
【００３１】
前記電熱線２０が間に配設された状態で、前記表面シート１１と裏面シート１２とは接合されることとなる。かかる表面シート１１と裏面シート１２との接合方法については、特に限定はないが、両者の面接触箇所を接着剤により接着したり、あるいは、熱融着する方法などが考え得る。
【００３２】
なお、表面シート１１または裏面シート１２のいずれか一方について、電熱線２０を被覆可能な粘着層を備える帯状のテープ材により代用することも可能である。これにより、発熱シート材１０全体としての材料の削減及び軽量化を図ることができると共に、表面シート１１と裏面シート１２との接合作業の簡易化を図ることもできる。
【００３３】
前記スイッチＳは、前記電熱線２０へ電力供給をＯＮ・ＯＦＦするためのものであって、前記発熱シート材１０とは別に設けられる。該スイッチＳの具体的構造については、特に限定するものではなく、電熱線２０への電力供給をＯＮ・ＯＦＦ可能であれば足りる。
【００３４】
前記スイッチＳは、電熱線２０へ電力供給すべく該電熱線２０に接続されると共に、その電力供給元として一般家庭用の交流電源にコードを介して接続されている。なお、電熱線２０への電力供給の態様によっては、交流を直流に変換する変換器がスイッチＳに内蔵若しくは外付けされる。
【００３５】
このとき、本発明が、上記した表面シート１１に太陽電池モジュール１６が配設されると共に該太陽電池モジュール１６により発電された電力を蓄電するための蓄電池３０も備えた構成を採用し、電熱線２０への電力供給について一次的に蓄電池３０に蓄電された電力を使用する場合に、電力供給元として一般家庭用の交流電源と蓄電池３０とを切替可能な交換器がスイッチＳに内蔵若しくは外付けされる。
【００３６】
ところで、前記スイッチＳの構造について、温度調節機能を備える態様が考え得る。かかる温度調節機能を備えることで、電熱線２０の発熱量を調整可能となって、融雪に必要な熱量を最小限に抑えて省エネルギーに資したり、高温状態として急速な融雪に資するといった、優れた効果を奏する。
【００３７】
また、前記スイッチＳの構造について、タイマー機能を備える態様が考え得る。かかるタイマー機能を備えることで、前記電熱線２０への電力供給を時限的に行うことが可能となり、スイッチＳの切り忘れの防止にも資することとなる。
【００３８】
以上の通り構成される本考案にかかる融雪シート材１は、図２に示すように、既存の屋根に敷設することが可能であると共に、スイッチＳをＯＮにすることで、発熱シート材１０の表面シート１１と裏面シート１２の間に配設された電熱線２０が発熱し、その熱により屋根上に降り積もった雪を融解することが可能となる。
【００３９】
また、本考案にかかる融雪シート材１は、表面シート１１と裏面シート１２とを透明若しくは半透明の樹脂素材により形成することで、図３に示すように、太陽光を透過すべきビニールハウスの被覆材として使用することも可能であり、スイッチＳをＯＮにすることで、発熱シート材１０の表面シート１１と裏面シート１２の間に配設された電熱線２０が発熱し、その熱によりハウス上に降り積もった雪を融解することが可能となる。
【００４０】
なお、図１や図３に示すように、融雪シート材１にジョイント部１７を備える態様が考え得る。該ジョイント部１７を備えることで、他の融雪シート材１におけるジョイント部１７と接合可能とし、これにより他の融雪シート材１と電熱線２０が繋がるように構成されている。かかる態様を採用することで、一の電源および一のスイッチＳで複数の融雪シート材１を制御することが可能であって、広い敷設面に対しても、複数の融雪シート材１をジョイント部１７によって接合すれば足りるため、融雪シート材１の小型化を図ることも可能である。
【産業上の利用可能性】
【００４１】
本考案は、一般建造物の屋根に適用されるだけでなく、ビルやマンションの屋上や軒先、パラペット部分にも適用可能であって、さらには、太陽光を透過すべきビニールハウスの被覆材としても使用することが可能なものである。よって、本考案にかかる融雪シート材１の産業上の利用可能性は大であると思料する。
【符号の説明】
【００４２】
１    融雪シート材
１０    発熱シート材
１１    表面シート
１２    裏面シート
１４    被覆片
１６    太陽電池モジュール
１７    ジョイント部
２０    電熱線
３０    蓄電池
Ｓ    スイッチ
【図１】
0003193543.tif 000003
【図２】
0003193543.tif 000004
【図３】
0003193543.tif 000005